(57)【要約】【課題】安価な永久磁石を利用した極めて簡単な構造で引戸を確実に浮き上がらせ且つ横振れのない状態で安定して開閉操作できる引戸装置を簡単な構造で且つ低コストで提供すること。【解決手段】上レール２と下レール３にガイドされて走行する戸板１と、下レール３の全長にわたって磁極を上下方向に向けた状態で設置された永久磁石体４と、該永久磁石体４に対して同じ磁極を向い合わせたけた状態で前記戸板１の下面に配置された永久磁石体５とからなり、これら相対する永久磁石体４，５の反発力により戸板１が浮き上がるように形成されており、更に戸板走行時に戸板１の横振れを防止する横振れ防止部６が設けられている構造。【選択図】        図１
2004204483.tif 000002
【特許請求の範囲】
【請求項１】
上レールと下レールにガイドされて走行する戸板と、下レールの全長にわたって磁極を上下方向に向けた状態で設置された永久磁石体と、該永久磁石体に対して同じ磁極を向い合わせたけた状態で前記戸板の下面に配置された永久磁石体とからなり、これら相対する永久磁石体の反発力により戸板が浮き上がるように形成されており、更に戸板走行時に戸板の横振れを防止する横振れ防止部が設けられている引戸装置。
【請求項２】
上レールと下レールにガイドされて走行する戸板と、戸板の上端面から一体的に突出してその上端部分が前記上レール内に挿入された磁石保持部と、上レールの全長にわたって磁極を上下方向に向けた状態で該上レール内部に設置された永久磁石体と、該永久磁石体に相対した姿勢で且つ同じ磁極を向い合わせた状態で前記磁石保持部に設けられた永久磁石体とからなり、これら相対する永久磁石体の反発力により戸板が浮き上がるように形成されており、更に戸板走行時に戸板の横振れを防止する横振れ防止部が設けられている引戸装置。
【請求項３】
前記永久磁石体は、合成樹脂で成形された直方体状のブロックに複数の磁石を埋め込んで形成されている請求項１又は２に記載の引戸装置。
【発明の詳細な説明】
【０００１】
【発明の属する技術分野】
本発明は、引戸とレールとの間に同極の磁極を向かい合わせた永久磁石を配置して引戸を浮き上がらせて滑走させる引戸装置に関する。
【０００２】
【従来の技術】
従来、磁石の力により引戸を浮き上がらせるようにしたものとして、例えば特開平２００１ー１５２７４８号公報に示すものがある。この従来構造のものは電機子コイルと永久磁石を組み合わせて構成されており、電気工事等の配線が必要で組み付けが非常に煩雑であり、一般家庭用としては適さない。また特開平７−１８９４３号では引戸の下部に磁石を取り付け、敷居を金属で作って電磁誘導で引戸を浮き上がらせるアイデアが開示されている。しかしこのような構造では金属の敷居に引戸を浮き上がらせるような反発力のある磁極を誘起させることは実質的に不可能である。
【０００３】
【発明が解決しようとする課題】
そこで本発明は、一般に使用されている安価な永久磁石を利用した極めて簡単な構造で引戸を確実に浮き上がらせ且つ横振れのない状態で安定して開閉操作することのできる引戸装置を簡単な構造で且つ低コストで提供することを主たる目的とするものである。
【０００４】
【課題を解決するための手段】
上記目的を達成する為に本発明では次のような技術的手段を講じた。即ち、本発明に係る引戸装置にあっては、上レール２と下レール３にガイドされて走行する戸板１と、下レール３の全長にわたって磁極を上下方向に向けた状態で設置された永久磁石体４と、該永久磁石体４に対して同じ磁極を向い合わせたけた状態で前記戸板１の下面に配置された永久磁石体５とからなり、これら相対する永久磁石体４，５の反発力により戸板１が浮き上がるように形成されており、更に戸板走行時に戸板１の横振れを防止する横振れ防止部６が設けられている構造とした。これにより戸板１は相対する永久磁石体４，５の反発力により浮き上がった状態で且つ横振れのない状態で安定して走行し、軽く開閉することができる。
【０００５】
また本発明では、上レール１２と下レール１３にガイドされて走行する戸板１と、戸板１の上端面から一体的に突出してその上端部分が前記上レール１２内に挿入された磁石保持部１ａと、上レール１２の全長にわたって磁極を上下方向に向けた状態で該上レール内部に設置された永久磁石体１４と、該永久磁石体１４に相対した姿勢で且つ同じ磁極を向い合わせた状態で前記磁石保持部１ａ設けられた永久磁石体１５とからなり、これら相対する永久磁石体１４，１５の反発力により戸板１が浮き上がるように形成されており、更に戸板走行時に戸板１の横振れを防止する横振れ防止部６が設けられている構造も特徴とする。この場合も上記と同じように、相対する永久磁石体１４，１５の反発力により戸板１が浮き上がった状態で且つ横振れのない状態で安定して走行して、軽く開閉することができる。
【０００６】
前記した永久磁石体は、合成樹脂で成形された直方体状のブロックに複数の磁石を埋め込んで形成するのがこのましい。これにより、レール等への取付が容易で且つ戸板の重量に応じてその数を増減して使用することができて便利である。
【０００７】
【発明の実施の形態】
以下本発明にかかる引戸装置を図面に基づいて説明する。
図１〜図３は本発明の第１の実施例を示すものであって、アルミ引き抜き材等で形成された上レール２と下レール３にガイドされて走行する戸板１が設けられている。前記下レール３にはその全長にわたって多数の永久磁石体４が磁極を上下方向に向けた状態で配置されている。また、戸板１の下面には前記永久磁石体４に対して同じ磁極を向い合わせたけた状態で多数の永久磁石体５が取り付けられている。この永久磁石体５を戸板下面に取り付けるのに、アルミ引き抜き材で形成された長尺のチャンネル材７をその溝部を下方に向けた状態で戸板１の下面に固着し、このチャンネル材７溝部に永久磁石体５を嵌めこんで適宜接着剤等で接着したり、或いはチャンネル材７の溝部に固く嵌合することにより取り付けられている。前記チャンネル材７は下レール３の溝に嵌まってスライドする実質的な戸板の滑走部としての役目をなす。
【０００８】
また本実施例では前記永久磁石体４，５は、図３に示すように、それぞれ合成樹脂で成形された直方体状のブロック４ａ、５ａに複数の磁石４ｂ、５ｂを埋め込んで形成されている。そしてこのブロック状の永久磁石体の側面に横方向に沿った取り付け溝５ｃ、５ｃが設けられ、この溝４ｃ、５ｃが下レール３並びにチャンネル材７の内側面に形成された突条３ａ、７ａにスライド可能に係合するように形成されている。従って、永久磁石体４，５を夫々下レール３，チャンネル材７に側端面から差し込むことによって簡単に永久磁石体４、６を取り付けることができ、同時に引戸重量に応じてその数を増減することができるので便利である。
【０００９】
更に、本発明では戸板走行時に戸板１の横振れを防止する横振れ防止部６が設けられている。この実施例で示した横振れ防止部６は図３に示すように、戸板１のチャンネル材７の垂直な外側面に水平方向に延びる凸条のスレー６ａを下レール３の垂直な内側面に摺接するように形成されている。尚、この凸条のスレー６ａは下レール３の内側面に設けるようにしてもよい。これにより別部材を付加することなく簡単な構造で戸板１の走行時の横振れを防止することができる。またこれに代えて図４に示すように縦軸の周りで回転するローラー６ｂを設けてこのローラー６ｂが下レール３の垂直な内側面に周接することにより戸板１の横振れを防止するように形成することも可能である。
【００１０】
上記のごとく構成することにより戸板１は、相対する永久磁石体４，５の反発力により浮き上がった状態で且つ横振れのない状態で安定して走行し、軽く開閉することができる。
【００１１】
図５は、本発明の別の実施例を示すものであって、反発する永久磁石体を上レールと戸板の上端部とに設けたものである。この実施例では、上レール１２と下レール１３にガイドされて走行する戸板１と、戸板１の上端面から一体的に突出してその上端部分が前記上レール１２内に挿入された磁石保持部１ａと、上レール１２の全長にわたって磁極を上下方向に向けた状態で該上レール内部に設置された永久磁石体１４と、該永久磁石体１４に相対した姿勢で且つ同じ磁極を向い合わせた状態で前記磁石保持部１ａ設けられた永久磁石体１５とからなり、これら相対する永久磁石体１４，１５の反発力により戸板１が浮き上がるように形成されている。
【００１２】
前記永久磁石体１４，１５は先に示した実施例と同じように合成樹脂で成形された直方体状のブロックに複数の磁石を埋め込んで形成されている。これにより引戸の重量に合わせてその数を増減して組み付けることができて便利である。
【００１３】
更に、戸板走行時に戸板１の横振れを防止する横振れ防止部６が設けられている。本実施例において横振れ防止部６は上レール１２の開口部内端に円弧状のスレー６ｃを形成して磁石保持部材１ａの首部に摺接するように形成されている。これにより別部材を付加することなく簡単な構造で戸板１の走行時の横振れを防止することができる。またこれに代えて図６に示すように縦軸の周りで回転するローラー６ｄを設けてこのローラー６ｄが上レール１２の垂直な内側面に周接するように構成し、これにより戸板１の横振れを防止させることも可能である。
【００１４】
この実施例においても、先の実施例と同じように、相対する永久磁石体１４，１５の反発力により戸板１が浮き上がった状態で且つ横振れのない状態で安定して走行して、軽く開閉することができよう。
【００１５】
以上本発明の代表的と思われる実施例について説明したが、本発明は必ずしもこれらの実施例構造のみに限定されるものではない。例えば実施例では、永久磁石体を合成樹脂製のブロック体に磁石を埋め込んで形成したが、磁石を裸のままで使用することも可能である。その他本発明では前記の構成要件を備え、かつ前記の目的を達成し、下記の効果を有する限りにおいては適宜に改変して実施することができる。
【００１６】
【発明の効果】
本発明の引戸装置は上記のごとく構成したから、相対する永久磁石体の反発力により戸板は浮き上がった状態で且つ横振れのない状態で安定して走行し、軽い力で軽快に開閉することができるとともに、安価な永久磁石を利用した極めて簡単な構造でるから低コストで製作できて、一般家屋にも広く利用することができるといった効果がある。また請求項３に記載の構造とすることにより、レール等への取付が容易で且つ戸板の重量に応じてその数を増減して使用することができて便利であるといった効果がある。
【図面の簡単な説明】
【図１】本発明に係る引戸装置の一実施例を示す側面からみた断面図。
【図２】上記引戸装置の正面から見た断面図。
【図３】上記引戸装置の要部の分解斜視図。
【図４】上記引戸装置における横振れ防止部の別の実施例を示す断面図。
【図５】本発明に係る引戸装置の別の実施例を示す断面図。
【図６】上記引戸装置における横振れ防止部の別の実施例を示す断面図。
【符号の説明】
１  戸板
１ａ  磁石保持部
２、１２  上レール
３、１３  下レール
４、１４  永久磁石体
５，１５  永久磁石体
６  横振れ防止部
【図１】
2004204483.tif 000003
【図２】
2004204483.tif 000004
【図３】
2004204483.tif 000005
【図４】
2004204483.tif 000006
【図５】
2004204483.tif 000007
【図６】
2004204483.tif 000008